(57)【特許請求の範囲】
【請求項１】
電子メールを送信する通信端末装置において、
宛先の電子メールアドレス毎に、当該宛先を指定する方法の複数の宛先種類から選択的に１つの宛先種類を指定する入力手段と、
上記指定された宛先種類と、宛先の電子メールアドレスとの１対を、ワンタッチダイヤル又は短縮ダイヤルの宛先情報として格納する記憶手段と、
ワンタッチダイヤル又は短縮ダイヤルの操作がされたときに、上記操作に対応するワンタッチダイヤル又は短縮ダイヤルの宛先種類と電子メールアドレスとを上記記憶手段から読み出して、上記操作に対応する宛先情報の電子メールアドレスに対して、上記操作に対応する宛先情報の宛先種類で電子メールを送信する送信手段とを備え、
上記宛先を指定する方法の複数の宛先種類は、Ｔｏと、Ｃｃと、Ｂｃｃとのうちのいずれかを含み、
上記入力手段は、上記宛先を指定する方法の各宛先種類毎にそれぞれ形成されたページシートにより宛先種類を切り換え、指定する宛先種類のページシート上の宛先を用いて宛先及び宛先種類を指定するように構成されたことを特徴とする通信端末装置。
【請求項２】
上記入力手段は、複数の宛先種類のうちの１つを順次循環的に表示して指定する種類変更キーであることを特徴とする請求項１記載の通信端末装置。
【請求項３】
上記電子メールを送信する前において、上記読み出された宛先情報の宛先種類を、上記入力手段を用いて入力された宛先種類に変更するように制御する変更手段をさらに備えたことを特徴とする請求項１又は２のうちのいずれか１つに記載の通信端末装置。
【発明の詳細な説明】
【０００１】
【発明の属する技術分野】
本発明は、電子メールを利用してインターネットを介して画像データを送受信するインターネットファクシミリ装置などの通信端末装置に関する。
【０００２】
【従来の技術】
従来、電子メールを利用してインターネットを介して画像データを送受信するインターネットファクシミリ装置を用いたインターネットファクシミリ通信システムが、ＩＴＵ−Ｔ勧告Ｔ．３７において提案されている。このインターネットファクシミリ装置では、画像データを含む電子メールを送信側のメールサーバ装置（ゲートウェイ装置）及びインターネットを介して受信側のメールサーバ装置（ゲートウェイ装置）にＳＭＴＰ方式で送信し、受信側のインターネットファクシミリ装置は、ＰＯＰ３方式で受信側のメールサーバ装置にアクセスして、画像データを含む電子メールを受信して、受信された画像データを画像記録部を用いて印字する。
【０００３】
インターネットファクシミリ装置などのインターネット用通信端末装置において、電子メールを作成するときには、以下の電子メールアドレスの宛先を指定する方法の種類（以下、宛先種類という。）毎に宛先の電子メールアドレスを入力することにより指定している。
（ａ）Ｔｏ：コピーの送り先ではない正規の宛先アドレスをＴｏで指定する。
（ｂ）Ｃｃ：コピーの送り先である宛先アドレスをＣｃで指定する。Ｃｃで指定した宛先は他の人にあてた電子メールにも表示されるから、コピーが誰に送られているか分かる。
（ｃ）Ｂｃｃ：Ｃｃと同様にコピーを送る宛先の指定に使うが、Ｃｃと違って、Ｂｃｃで指定した宛先名は他の人に配達される電子メールには表示されない。送信者が自分の電子メールアドレスをＢｃｃで指定すると、送信した電子メールのコピーが送信者に配達されるので、自分が送った電子メールがメールサーバ装置に届いたことを確認できる。
なお、各宛先種類において、宛先アドレスをカンマ又はセミコロンで区切り併記することで、複数の宛先へ送信することができる。
【０００４】
【発明が解決しようとする課題】
しかしながら、従来は、宛先種類毎に電子メールアドレスを入力し直接ダイヤルで送信することができるが、ワンタッチダイヤル又は短縮ダイヤルに上記宛先種類を電子メールアドレスとともに登録することができなかった。
【０００５】
本発明の目的は以上の問題点を解決し、ワンタッチダイヤル又は短縮ダイヤルに宛先種類と電子メールアドレスとを登録することができ、登録された電子メールアドレスとその宛先種類で送信することができるインターネットファクシミリ装置などの通信端末装置を提供することにある。
【０００６】
【課題を解決するための手段】
本発明に係る通信端末装置は、電子メールを送信する通信端末装置において、宛先の電子メールアドレス毎に、当該宛先を指定する方法の複数の宛先種類から選択的に１つの宛先種類を指定する入力手段と、上記指定された宛先種類と、宛先の電子メールアドレスとの１対を、ワンタッチダイヤル又は短縮ダイヤルの宛先情報として格納する記憶手段と、ワンタッチダイヤル又は短縮ダイヤルの操作がされたときに、上記操作に対応するワンタッチダイヤル又は短縮ダイヤルの宛先種類と電子メールアドレスとを上記記憶手段から読み出して、上記操作に対応する宛先情報の電子メールアドレスに対して、上記操作に対応する宛先情報の宛先種類で電子メールを送信する送信手段とを備えたことを特徴とする。
【０００７】
また、上記通信端末装置において、上記入力手段は、好ましくは、複数の宛先種類のうちの１つを順次循環的に表示して指定する種類変更キーである。
【０００８】
さらに、上記通信端末装置において、好ましくは、上記電子メールを送信する前において、上記読み出された宛先情報の宛先種類を、上記入力手段を用いて入力された宛先種類に変更するように制御する変更手段をさらに備えたことを特徴とする。
【０００９】
またさらに、上記通信端末装置において、宛先を指定する方法の複数の宛先種類は、好ましくは、Ｔｏと、Ｃｃとを含むことを特徴とする。
【００１０】
【発明の実施の形態】
以下、図面を参照して本発明に係る実施形態について説明する。
【００１１】
図１は、本発明に係る実施形態であるインターネットファクシミリ装置２０の構成を示すブロック図である。このインターネットファクシミリ装置２０は、インターネット４０を介して電子メールを送信する装置であり、宛先の電子メールアドレス毎に、当該宛先を指定する方法の複数の宛先種類（Ｔｏ、Ｃｃ，Ｂｃｃを含む）から選択的に１つの宛先種類を指定する入力手段であって、複数の宛先種類のうちの１つを順次循環的に表示して指定する種類変更キー５ａを操作部５において備える。主制御部１は、種類変更キー５ａにより指定された宛先種類と、宛先の電子メールアドレスとの１対を、ワンタッチダイヤル又は短縮ダイヤルの宛先情報としてＲＡＭ７内のダイヤル登録メモリ７ａに格納し（図３のステップＳ１４−Ｓ１７）、ワンタッチダイヤル又は短縮ダイヤルの操作がされたときに、上記操作に対応する宛先種類と電子メールアドレスとを上記ダイヤル登録メモリ７ａから読み出し、上記操作に対応する宛先情報の電子メールアドレスに対して、上記操作に対応する宛先情報の宛先種類で電子メールを送信する（図６のステップＳ６５−Ｓ７１又は図７のステップＳ８５−Ｓ９１）ことを特徴としている。
【００１２】
また、当該インターネットファクシミリ装置２０において、主制御部１は、電子メールを送信する前において、ダイヤル登録メモリ７ａから読み出された宛先情報の宛先種類を、上記入力手段を用いて入力された宛先種類に変更するように制御する処理（図６のステップＳ６５Ａ又は図７のステップＳ８５Ａ）を実行することを特徴としている。
【００１３】
図１のインターネットファクシミリ装置２０は、例えばＩＴＵ勧告Ｔ．３７などに従って、電子メールを利用してインターネットを介して画像データを送受信するインターネットファクシミリ機能を有し、ＲＡＭ７はダイヤル登録メモリ７ａを備え、ワンタッチダイヤル及び短縮ダイヤルで送信するためのファクシミリ番号及び／又は電子メールアドレス及び宛先種類と、その名称（名称の入力は必須ではなく、名称が入力されていないときはファクシミリ番号又は電子メールアドレスが表示される。）を予め入力して当該ダイヤル登録メモリ７ａに登録しておく。
【００１４】
なお、ワンタッチダイヤルとは、操作部５の１つのキーをオンすることにより（ワンタッチ）宛先を指定してダイヤルする方法であり、短縮ダイヤルとは、短縮番号を操作部５を用いて入力することにより宛先を指定してダイヤルする方法である。
【００１５】
そして、当該インターネットファクシミリ装置２０は、以下の２つの動作モードを備える。
（ａ）インターネットファクシミリモード：上記インターネットファクシミリ機能を用いて画像データを含む電子メールを送信する動作モードであり、ダイヤル登録メモリ７ａ又は電話帳メモリ７ｂに格納された電子メールアドレスを表示してスタートキーをオンしたときにインターネットファクシミリ送信処理を実行する。
（ｂ）通常ファクシミリモード：公衆電話回線Ｌを介して画像データを送信する動作モードであり、ダイヤル登録メモリ７ａ又は電話帳メモリ７ｂに格納された電子メールアドレスを表示してスタートキーをオンしたときに通常ファクシミリ送信処理を実行する。
これら２つの動作モードの切り換えは、操作部５のインターネットファクシミリキーをオンすることにより、通常ファクシミリモードからインターネットファクシミリモードに、又は、インターネットファクシミリモードから通常ファクシミリモードに変更することができる。
【００１６】
図１において、インターネットファクシミリ装置２０は、従来のＧ３方式等のファクシミリ通信機能及びインターネットファクシミリ機能とを備えるとともに、ＩＴＵ−Ｔ勧告のＶ．３４モードの通信能力を有するハードウエアのＣＯＤＥＣ回路９と、ＩＴＵ−Ｔ勧告のＶ．１７モード以下の通信能力を有するＲＯＭ６内のＣＯＤＥＣプログラム６ａとを備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該インターネットファクシミリ装置２０の動作状態を表示したり、送信すべき原稿のイメージデータ、及び受信したイメージデータの表示を行う。
【００１７】
操作部５は、当該インターネットファクシミリ装置２０を操作するために必要な文字キー、ダイヤル用テンキー、短縮ダイヤルキー、ワンタッチダイヤルキー、及び各種のファンクションキー等を備える。ここで、操作部５は、上述のように、インターネットファクシミリモードと通常ファクシミリモードとを選択的に切り換えるためのインターネットファクシミリキーと、宛先種類を順次、キーを１回オンする毎に、ＴｏからＣｃに、ＣｃからＢｃｃに、ＢｃｃからＴｏに表示して変更する種類変更キー５ａと、当該変更の後これを確定するためのエンターキーを備える。なお、上述の表示部４をタッチパネル方式とすることにより、この操作部５の各種キーの内の一部又は全部を代用するように構成してもよい。
【００１８】
ＲＯＭ６は、当該インターネットファクシミリ装置２０の動作に必要であって主制御部１によって実行される種々のソフトウェアのプログラムを予め格納し、ここで、当該プログラムは、ＩＴＵ−Ｔ勧告のＶ．１７モード、Ｖ．３２、Ｖ．２７ｔｅｒ、Ｖ．２６ｂｉｓなどに基づく通信能力を有し、画像データの符号化及び復号化を行うＣＯＤＥＣプログラム６ａを含むとともに、図２のワンタッチダイヤル及び短縮ダイヤルの登録処理と、図３の電子メールアドレス登録処理と、図４のファクシミリ番号登録処理と、図５のファクシミリ送信処理と、図６のワンタッチダイヤル処理と、図７の短縮ダイヤル処理と、図８の電子メールアドレスの種類変更入力処理とを含む。ＲＡＭ７は、ＳＲＡＭ又はフラッシュメモリ等で構成され、主制御部１のワーキングエリアとして使用されてプログラムの実行時に発生する一時的なデータを記憶する。このＲＡＭ７には、上述のように、ダイヤル登録メモリ７ａなどを含む。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１９】
ファックスモデム１０は、公衆電話回線Ｌに接続され、通常のファクシミリ通信用のファックスモデムの機能を有するモデムである。ＮＣＵ（ネットワーク制御回路：Ｎｅｔｗｏｒｋ  Ｃｏｎｔｒｏｌ  Ｕｎｉｔ）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Ｄｉｇｉｔａｌ  Ｓｅｒｖｉｃｅ  Ｕｎｉｔ）を介して、ベースバンド伝送方式のデジタル回線（例えば、ＩＳＤＮ回線）に接続するようにしてもよい。
【００２０】
また、ＬＡＮインターフェース１２は、バス１３を介して主制御部１に接続され、主制御部１をローカルエリアネットワーク（以下、ＬＡＮという。）３０に接続するためにインターフェース回路であって、信号やプロトコルの変換などの公知の処理を実行する。ここで、ＬＡＮ３０には、当該インターネットファクシミリ装置２０のＬＡＮインターフェース１２と、メールサーバ装置３１と、ルータ装置３２と、他のパーソナルコンピュータ（図示せず。）などが接続される。
【００２１】
メールサーバ装置３１はＬＡＮ３０を介してルータ装置３２に接続される。さらに、ルータ装置３２はインターネット４０を介して宛先のメールサーバ装置（図示せず。）に接続される。当該インターネットファクシミリ装置２０から画像データをメール本文等に添付してメール送信するときは、ＳＭＴＰ手順を用いて当該画像データを含む電子メールを、ＬＡＮインターフェース１２及びＬＡＮ３０を介してメールサーバ装置３１に送信し、これに応答して、メールサーバ装置３１は、当該インターネットメールを、ＬＡＮ３０、ルータ装置３２、インターネット４０、及び宛先のメールサーバ装置（図示せず。）を介して送信先のインターネットファクシミリ装置２０にパケット送信する。一方、電子メールをパケット受信するときは、宛先のインターネットファクシミリ装置２０からインターネット４０、ルータ装置３２及びＬＡＮ３０を介してメールサーバ装置３１で電子メールが受信され、当該インターネットファクシミリ装置２０がメールサーバ装置３１に対して所定の周期で周期的にＰＯＰ３手順でアクセスし、受信した電子メールがあるときは、当該電子メールをメールサーバ装置３１からＬＡＮ３０及びＬＡＮインターフェース１２を介して受信する。なお、インターネット４０への回線接続は、専用回線などに限らず、公衆電話回線Ｌを用いたダイヤルアップ接続でもよい。
【００２２】
以上のように構成された本実施形態のインターネットファクシミリ装置２０は、通常のＧ３方式等のファクシミリ通信機能及びインターネットファクシミリ機能に加えて、上述のＣＯＤＥＣ回路９及びＣＯＤＥＣプログラム６ａを有している。ファクシミリ通信機能において、画像読取部２により読み取られたドットイメージデータはファクシミリ通信の規格で定められているＭＨ，ＭＲ，ＭＭＲ等の符号化方式に従ってＲＯＭ６内のＣＯＤＥＣプログラム６ａ又はＣＯＤＥＣ回路９により符号化された後、相手先のファクシミリ装置に送信される一方、逆に相手先のファクシミリ装置から受信した符号化データはＲＯＭ６内のＣＯＤＥＣプログラム６ａ又はＣＯＤＥＣ回路９によりイメージデータに復号化されて画像記録部３からハードコピーとして出力される。なお、画像メモリ８はイメージデータを必要に応じて記憶し、また逆に記憶しているイメージデータを必要に応じて出力する。
【００２３】
図２は、図１の主制御部１によって実行されるワンタッチダイヤル及び短縮ダイヤルの登録処理を示すフローチャートである。以下の図２乃至図８の処理において、「表示する」とは表示部４に表示することをいう。
【００２４】
図２のステップＳ１において、まず、電子メールアドレス登録キーをオンしたか否かが判断され、ＹＥＳであるときは、ステップＳ２において図３の電子メールアドレス登録処理を実行した後、ステップＳ１に戻る。一方、ステップＳ１でＮＯであるときは、ステップＳ３においてファクシミリ番号登録キーをオンしたか否かが判断され、ＹＥＳであるときは、ステップＳ４において図４のファクシミリ番号登録処理を実行した後、ステップＳ１に戻る。ステップＳ３でＮＯであるときは、ステップＳ５においてその他の登録処理を実行した後、ステップＳ１に戻る。
【００２５】
図３は、図２のサブルーチンである電子メールアドレス登録処理（Ｓ２）を示すフローチャートである。
【００２６】
図３のステップＳ１１において、ワンタッチダイヤルキーをオンし又は短縮ダイヤル番号を入力したか否かが判断され、ＹＥＳとなるまでステップＳ１１の処理を繰り返し、ＹＥＳとなったときに、ステップＳ１２において指定されたワンタッチダイヤル又は短縮ダイヤル番号に電子メールアドレスが登録済みか否かが判断され、ＹＥＳのときはステップＳ１３に進む一方、ＮＯのときはステップＳ１４に進む。ステップＳ１３においては、ダイヤル登録メモリ７ａに登録済みの電子メールアドレスを表示し、ステップＳ１４に進む。次いで、ステップＳ１４において電子メールアドレス（及び名称；電子メールアドレスの入力は必須であるが、名称の入力は必須ではない。）を入力したか否かが判断され、ＹＥＳとなったときに、ステップＳ１５において入力された電子メールアドレス（及び名称）をＲＡＭ７内の一時メモリに格納する。さらに、ステップＳ１６において図８のサブルーチンである電子メールアドレスの種類変更入力処理を実行した後、ステップＳ１７に進み、一時メモリに格納された電子メールアドレスは他のワンタッチダイヤル又は短縮ダイヤル番号に登録済みの電子メールアドレスか否かが判断され、ＹＥＳであるとき、ステップＳ１８において拒絶ブザーを鳴動させた後、ステップＳ１１に戻る。一方、ステップＳ１７でＮＯであれば、ステップＳ１９において一時メモリに格納された電子メールアドレス及び種類フラグＫＦで示されたその宛先種類（並びに名称）をダイヤル登録メモリ７ａに格納した後、ステップＳ２０において登録終了キーをオンしたか否かが判断され、ＮＯのときはステップＳ１１に戻る一方、ＹＥＳのときは元のメインルーチンに戻る。
【００２７】
図４は、図２のサブルーチンであるファクシミリ番号登録処理（Ｓ４）を示すフローチャートである。
【００２８】
図４のステップＳ２１において、ワンタッチダイヤルキーをオンし又は短縮ダイヤル番号を入力したか否かが判断され、ＹＥＳとなるまでステップＳ２１の処理を繰り返し、ＹＥＳとなったときに、ステップＳ２２において指定されたワンタッチダイヤル又は短縮ダイヤル番号にファクシミリ番号が登録済みか否かが判断され、ＹＥＳのときはステップＳ２３に進む一方、ＮＯのときはステップＳ２４に進む。ステップＳ２３においては、ダイヤル登録メモリ７ａに登録済みのファクシミリ番号を表示し、ステップＳ２４に進む。次いで、ステップＳ２４においてファクシミリ番号（及び名称；ファクシミリ番号の入力は必須であるが、名称の入力は必須ではない。）を入力したか否かが判断され、ＹＥＳとなったときに、ステップＳ２５において入力されたファクシミリ番号（及び名称）をＲＡＭ７内の一時メモリに格納し、ステップＳ２６においてエンターキーをオンしたか否かが判断される。ステップＳ２６でＹＥＳとなれば、ステップＳ２７において一時メモリに格納されたファクシミリ番号は他のワンタッチダイヤル又は短縮ダイヤル番号に登録済みのファクシミリ番号か否かが判断され、ＹＥＳであるとき、ステップＳ２８において拒絶ブザーを鳴動させた後、ステップＳ２１に戻る。一方、ステップＳ２７でＮＯであれば、ステップＳ２９において一時メモリに格納されたファクシミリ番号（及び名称）をダイヤル登録メモリ７ａに格納した後、ステップＳ３０において登録終了キーをオンしたか否かが判断され、ＮＯのときはステップＳ２１に戻る一方、ＹＥＳのときは元のメインルーチンに戻る。
【００２９】
図５は、図１の主制御部１によって実行されるファクシミリ送信処理を示すフローチャートである。
【００３０】
図５のステップＳ３１において、まず、通常ファクシミリモードに設定し、ステップＳ３２においてインターネットファクシミリキーをオンしたか否かが判断され、ＹＥＳのときはステップＳ３３に進む一方、ＮＯのときはステップＳ３６に進む。ステップＳ３３においてインターネットファクシミリモードか否かが判断され、ＮＯのときはステップＳ３４に進む一方、ＹＥＳのときはステップＳ３５に進む。ステップＳ３４においてインターネットファクシミリモードに変更して設定した後、ステップＳ３２に戻る。一方、ステップＳ３５において通常ファクシミリモードに変更して設定した後、ステップＳ３２に戻る。
【００３１】
次いで、ステップＳ３６においてワンタッチダイヤルキーをオンしたか否かが判断され、ＹＥＳのときはステップＳ３７に進む一方、ＮＯのときはステップＳ３８に進む。ステップＳ３７において図６のワンタッチダイヤル処理を実行した後、ステップＳ３２に戻る。ステップＳ３８において短縮ダイヤルキーをオンしたか否かが判断され、ＹＥＳのときはステップＳ３９に進む一方、ＮＯのときはステップＳ４０に進む。ステップＳ３９において図７の短縮ダイヤル処理を実行した後、ステップＳ３２に戻る。一方、ステップＳ４０においてその他のキーの処理を実行してステップＳ３２に戻る。
【００３２】
図６は、図５のサブルーチンであるワンタッチダイヤル処理（Ｓ３７）を示すフローチャートである。
【００３３】
図６のステップＳ５１においてインターネットファクシミリモードか否かが判断され、ＮＯのときはステップＳ５２に進む一方、ＹＥＳのときはステップＳ６２に進む。ステップＳ５２において指定されたワンタッチダイヤルにファクシミリ番号が登録されているか否かが判断され、ＮＯのときはステップＳ５３に進む一方、ＹＥＳのときはステップＳ５５に進む。ステップＳ５３においては、拒絶ブザーを鳴動させ、ステップＳ５４において「未登録」を表示した後、元のメインルーチンに戻る。一方、ステップＳ５５において宛先の名称又はファクシミリ番号（名称が登録されていないとき）を表示し、ステップＳ５６において画像読取部２に原稿がセットされているか否かが判断され、ＮＯのときはステップＳ５７に進む一方、ＹＥＳのときはステップＳ５９に進む。ステップＳ５７においては、拒絶ブザーを鳴動させ、ステップＳ５８において「原稿セット」を表示した後、元のメインルーチンに戻る。一方、ステップＳ５９においてスタートキーをオンしたか否かが判断され、ＹＥＳとなるまでステップＳ５９の処理を繰り返し、ＹＥＳとなったときに、ステップＳ６０において原稿画像を画像読取部２を用いて読み取って画像データに変換し画像メモリ８に格納し、ステップＳ６１において通常ファクシミリ送信処理を実行し、すなわち、公衆電話回線Ｌを介してＧ３モードで画像データをファクシミリ送信し、図５のファクシミリ送信処理を終了する。
【００３４】
ステップＳ６２において指定されたワンタッチダイヤルに電子メールアドレスが登録されているか否かが判断され、ＮＯのときはステップＳ６３に進む一方、ＹＥＳのときはステップＳ６５に進む。ステップＳ６３において拒絶ブザーを鳴動させ、ステップＳ６４において「未登録」を表示した後、元のメインルーチンに戻る。一方、ステップＳ６５において宛先の名称又はファクシミリ番号（名称が登録されていないとき）を表示し、ステップＳ６５Ａにおいて図８の電子メールアドレスの種類変更入力処理を実行することにより、宛先種類の変更を受けつけた後、ステップＳ６６において画像読取部２に原稿がセットされているか否かが判断され、ＮＯのときはステップＳ６７に進む一方、ＹＥＳのときはステップＳ６９に進む。ステップＳ６７において拒絶ブザーを鳴動させ、ステップＳ６８において「原稿セット」を表示した後、元のメインルーチンに戻る。一方、ステップＳ６９においてスタートキーをオンしたか否かが判断され、ＹＥＳとなるまでステップＳ６９の処理を繰り返し、ＹＥＳとなったときに、ステップＳ７０において原稿画像を画像読取部２を用いて読み取って画像データに変換し画像メモリ８に格納し、ステップＳ７１においてインターネットファクシミリ送信処理を実行し、すなわち、インターネットを介して画像データを含む電子メールをパケット送信し、図５のファクシミリ送信処理を終了する。
【００３５】
図７は、図５のサブルーチンである短縮ダイヤル処理（Ｓ３９）を示すフローチャートである。
【００３６】
図７のステップＳ７０において、まず、短縮番号を入力したか否かが判断され、ＹＥＳとなるまでステップＳ７０の処理を繰り返し、ＹＥＳとなったときに、ステップＳ７１に進む。次いで、ステップＳ７１においてインターネットファクシミリモードか否かが判断され、ＮＯのときはステップＳ７２に進む一方、ＹＥＳのときはステップＳ８２に進む。ステップＳ７２において指定された短縮ダイヤル番号にファクシミリ番号が登録されているか否かが判断され、ＮＯのときはステップＳ７３に進む一方、ＹＥＳのときはステップＳ７５に進む。ステップＳ７３においては、拒絶ブザーを鳴動させ、ステップＳ７４において「未登録」を表示した後、元のメインルーチンに戻る。一方、ステップＳ７５において宛先の名称又はファクシミリ番号（名称が登録されていないとき）を表示し、ステップＳ７６において画像読取部２に原稿がセットされているか否かが判断され、ＮＯのときはステップＳ７７に進む一方、ＹＥＳのときはステップＳ７９に進む。ステップＳ７７においては、拒絶ブザーを鳴動させ、ステップＳ７８において「原稿セット」を表示した後、元のメインルーチンに戻る。一方、ステップＳ７９においてスタートキーをオンしたか否かが判断され、ＹＥＳとなるまでステップＳ７９の処理を繰り返し、ＹＥＳとなったときに、ステップＳ８０において原稿画像を画像読取部２を用いて読み取って画像データに変換し画像メモリ８に格納し、ステップＳ８１において通常ファクシミリ送信処理を実行し、すなわち、公衆電話回線Ｌを介してＧ３モードで画像データをファクシミリ送信し、図５のファクシミリ送信処理を終了する。
【００３７】
ステップＳ８２において指定された短縮ダイヤル番号に電子メールアドレスが登録されているか否かが判断され、ＮＯのときはステップＳ８３に進む一方、ＹＥＳのときはステップＳ８５に進む。ステップＳ８３において拒絶ブザーを鳴動させ、ステップＳ８４において「未登録」を表示した後、元のメインルーチンに戻る。一方、ステップＳ８５において宛先の名称又はファクシミリ番号（名称が登録されていないとき）を表示し、ステップＳ６５Ａにおいて図８の電子メールアドレスの種類変更入力処理を実行することにより、宛先種類の変更を受けつけた後、ステップＳ８６において画像読取部２に原稿がセットされているか否かが判断され、ＮＯのときはステップＳ８７に進む一方、ＹＥＳのときはステップＳ８９に進む。ステップＳ８７において拒絶ブザーを鳴動させ、ステップＳ８８において「原稿セット」を表示した後、元のメインルーチンに戻る。一方、ステップＳ８９においてスタートキーをオンしたか否かが判断され、ＹＥＳとなるまでステップＳ８９の処理を繰り返し、ＹＥＳとなったときに、ステップＳ９０において原稿画像を画像読取部２を用いて読み取って画像データに変換し画像メモリ８に格納し、ステップＳ９１においてインターネットファクシミリ送信処理を実行し、すなわち、インターネットを介して画像データを含む電子メールをパケット送信し、図５のファクシミリ送信処理を終了する。
【００３８】
図８は、図３、図６及び図７のサブルーチンである電子メールアドレスの種類変更入力処理（Ｓ１６，Ｓ６５Ａ，Ｓ８５Ａ）を示すフローチャートである。
【００３９】
図８のステップＳ１０１において電子メールアドレスの種類として「ＴＯ」を表示し、ステップＳ１０２において種類フラグＫＦに“ＴＯ”に設定した後、ステップＳ１０３において種類変更キー５ａをオンしたか否かが判断され、ＹＥＳのときはステップＳ１０５に進む一方、ＮＯのときはステップＳ１０４に進む。ステップＳ１０４においてエンターキーをオンしたか否かが判断され、ＹＥＳのときは元のルーチンに戻る一方、ＮＯのときはステップＳ１０３に戻る。次いで、ステップＳ１０５において電子メールアドレスの種類として「ＣＣ」を表示し、ステップＳ１０６において種類フラグＫＦに“ＣＣ”を設定し、ステップＳ１０７において種類変更キー５ａをオンしたか否かが判断され、ＹＥＳのときはステップＳ１０９に進む一方、ＮＯのときはステップＳ１０８に進む。そして、ステップＳ１０８においてエンターキーをオンしたか否かが判断され、ＹＥＳのときは元のルーチンに戻る一方、ＮＯのときはステップＳ１０７に戻る。さらに、ステップＳ１０９において電子メールアドレスの種類として「ＢＣＣ」を表示し、ステップＳ１１０において種類フラグＫＦに“ＢＣＣ”を設定し、ステップＳ１１１において種類変更キー５ａをオンしたか否かが判断され、ＹＥＳのときはステップＳ１０１に戻る一方、ＮＯのときはステップＳ１１２に進む。ステップＳ１１２においてエンターキーをオンしたか否かが判断され、ＹＥＳのときは元のルーチンに戻る一方、ＮＯのときはステップＳ１１１に戻る。
【００４０】
以上説明したように、本実施形態によれば、宛先の電子メールアドレス毎に、当該宛先を指定する方法の複数の宛先種類（Ｔｏ、Ｃｃ，Ｂｃｃを含む）から選択的に１つの宛先種類を指定する入力手段であって、複数の宛先種類のうちの１つを順次循環的に表示して指定する種類変更キー５ａを操作部５において備え、主制御部１は、種類変更キー５ａにより指定された宛先種類と、宛先の電子メールアドレスとの１対を、ワンタッチダイヤル又は短縮ダイヤルの宛先情報としてＲＡＭ７内のダイヤル登録メモリ７ａに格納し、ワンタッチダイヤル又は短縮ダイヤルの操作がされたときに、上記操作に対応する宛先種類と電子メールアドレスとを上記ダイヤル登録メモリ７ａから読み出し、上記操作に対応する宛先情報の電子メールアドレスに対して、上記操作に対応する宛先情報の宛先種類で電子メールを送信する。従って、ワンタッチダイヤル又は短縮ダイヤルに宛先種類と電子メールアドレスとを登録することができ、登録された電子メールアドレスとその宛先種類で送信することができる。
【００４１】
また、本実施形態においては、当該インターネットファクシミリ装置２０において、主制御部１は、電子メールを送信する前において、ダイヤル登録メモリ７ａから読み出された宛先情報の宛先種類を、上記入力手段を用いて入力された宛先種類に変更するように制御する処理（図６のステップＳ６５Ａ又は図７のステップＳ８５Ａ）を実行する。従って、登録された宛先情報のうち宛先種類を、送信直前において種類変更キー５ａを用いてきわめて簡単に変更することができ、操作性を大幅に向上できる。
【００４２】
＜第２の実施形態＞
図９、図１０及び図１１はそれぞれ、本発明に係る第２の実施形態である操作部５０の一部の第１、第２及び第３の状態を示す上面図である。この第２の実施形態においては、操作部５の種類変更キー５ａに代えて、図９乃至図１１に図示した操作部５０を備えたことを特徴とし、その他の構成は第１の実施形態と同様であるが、図３の電子メールアドレス登録処理において宛先種類の指定の処理（例えば、ステップＳ１６）は不要であり、ステップＳ１１においてワンタッチダイヤルキー６５をオンしたときに３枚のページシート６１，６２，６３のうち捲って最上部に表示されていたページシートに対応する宛先種類を自動的に指定して登録することを特徴としている。
【００４３】
また、図６のステップＳ６５Ａ又は図７のステップＳ８５Ａにおいては、図８の電子メールアドレスの種類変更入力処理を実行せず、図５のステップＳ３６でオンされたワンタッチキーにより入力された短縮番号に対応する宛先情報（電子メールアドレス及び宛先種類）のうち宛先種類を、操作部５０のページシート６１，６２，６３を捲ることにより選択し、先と同一のワンタッチキー又はエンターキー（これらは確定用キーである。）をオンすることにより、登録された宛先種類を後に操作部５０により選択した宛先種類に変更するように制御する。なお、この送信直前の宛先種類の変更処理は実行しなくてもよい。
【００４４】
図９乃至図１１に図示された操作部５０は、例えばＴｏ、Ｃｃ、Ｂｃｃなどの複数の宛先種類を表示しかつ表示された宛先種類に対応し、それぞれを順次捲ることができるように載置された３枚のページシート６１，６２，６３と、当該３枚のページシート６１，６２，６３を捲ることにより各１つのページシートを選択したことを検出するマイクロスイッチＳＷ１，ＳＷ２，ＳＷ３とを備える。ここで、３枚のページシートは、Ｔｏページシート６１と、Ｃｃページシート６２と、Ｂｃｃページシート６３とを含む。
【００４５】
操作部５０の中央部において設けられた複数のバインダ・リング７１を挟んで、それの左側に矩形形状の左側シート載置領域５１が設けられる一方、その右側に矩形形状の右側シート載置領域５２が設けられる。３枚のページシート６１，６２，６３がともに左側載置領域５１にあるとき、これらは、当該左側載置領域５１上に下側からページシート６３，６２，６１の順序で重なった状態で載置され、かつこれらのページシート６１，６２，６３の左側縁端部に複数の孔７２が形成され、これらの孔７２がバインダ・リング７１を通過し、当該ページシート６１，６２，６３が左側シート載置領域５１から１枚ずつ捲ることにより右側載置領域５２に移動可能に構成されている。各ページシート６１，６２，６３の下側縁端部にそれぞれ、Ｔｏを表示するページシート突出部６１ａと、Ｃｃを表示するページシート突出部６２ａと、Ｂｃｃを表示するページシート突出部６３ａとが形成されている。また、各ページシート６１，６２，６３には各シートの同じ位置で同じ形状で９つの孔６５が形成され、これら孔６５を介して、９個のワンタッチダイヤルスイッチ６５と、それに登録された宛先の名称記載部５３とが露出するようになっている。一方、右側シート載置部５２の下側縁端部の近傍であってその直下に３つのマイクロスイッチＳＷ１，ＳＷ２，ＳＷ３が設けられる。ここで、マイクロスイッチＳＷ１は、Ｔｏページシート６１を捲り右側シート載置部５２に載置したときにページシート突出部６１ａが当該マイクロスイッチＳＷ１を押下してオンとなるような位置に設けられ、マイクロスイッチＳＷ２は、Ｃｃページシート６２を捲り右側シート載置部５２に載置したときにページシート突出部６２ａが当該マイクロスイッチＳＷ２を押下してオンとなるような位置に設けられ、マイクロスイッチＳＷ３は、Ｂｃｃページシート６３を捲り右側シート載置部５２に載置したときにページシート突出部６３ａが当該マイクロスイッチＳＷ３を押下してオンとなるような位置に設けられる。
【００４６】
この第１の状態では、図９に示すように、３枚のページシート６１，６２，６３は左側載置領域５１に載置されており、３個のマイクロスイッチＳＷ１，ＳＷ２，ＳＷ３はともにオフのままであり、これにより、３枚のページシート６１，６２，６３が左側載置領域５１にあり、このうち、Ｔｏページシート６１が最上部にあり、Ｔｏの宛先種類を選択する。すなわち、複数のワンタッチダイヤルスイッチ６５のうちの１つをオンしたとき、自動的にＴｏの宛先種類を選択し、当該オンしたワンタッチダイヤルスイッチ６５の宛先を指定する。
【００４７】
次いで、第１の状態から１枚のページシート６１を捲り、それを右側シート載置領域５２に載置する。この第２の状態では、図１０に示すように、２枚のページシート６２，６３は左側載置領域５１に載置されて一方、１枚のページシート６１は右側載置領域５２に載置されており、ページシート突出部６１ａがマイクロスイッチＳＷ１を下方向に押下している状態となる。このとき、マイクロスイッチＳＷ１はオンである一方、他の２個のマイクロスイッチＳＷ２，ＳＷ３はともにオフのままであり、このとき、左側シート載置領域５１において、Ｃｃページシート６２が最上部にあり、Ｃｃの宛先種類を選択する。すなわち、複数のワンタッチダイヤルスイッチ６５のうちの１つをオンしたとき、自動的にＣｃの宛先種類を選択し、当該オンしたワンタッチダイヤルスイッチ６５の宛先を指定する。
【００４８】
さらに、第２の状態から１枚のページシート６２を捲り、それを右側シート載置領域５２に載置する。この第３の状態では、図１１に示すように、１枚のページシート６３は左側載置領域５１に載置されて一方、２枚のページシート６１，６２は右側載置領域５２に載置されており、ページシート突出部６１ａ及び６２ａがそれぞれマイクロスイッチＳＷ１，ＳＷ２を下方向に押下している状態となる。このとき、マイクロスイッチＳＷ１，ＳＷ２はオンである一方、他の１個のマイクロスイッチＳＷ３はオフのままであり、このとき、左側シート載置領域５１において、Ｂｃｃページシート６３が最上部にあり、Ｂｃｃの宛先種類を選択する。すなわち、複数のワンタッチダイヤルスイッチ６５のうちの１つをオンしたとき、自動的にＢｃｃの宛先種類を選択し、当該オンしたワンタッチダイヤルスイッチ６５の宛先を指定する。
【００４９】
なお、３枚のページシート６１，６２，６３がともに右側シート載置領域５２にあるときは、ページシート突出部６１ａ，６２ａ，６３ａがそれぞれマイクロスイッチＳＷ１，ＳＷ２，ＳＷ３を下方向に押下している状態となる。このとき、マイクロスイッチＳＷ１，ＳＷ２，ＳＷ３はオンであり、このとき、左側シート載置領域５１において、ページシートがなく、宛先種類を指定することができず、本実施形態においては、宛先種類を指定できず、エラー処理となる。なお、このときにおいて、自動的にＴｏを宛先種類として選択するように構成してもよい。
【００５０】
なお、第２の実施形態において、短縮ダイヤルの登録を行うときに宛先種類を指定するとき、短縮ダイヤルの指定はテンキーを用いて番号で行うが、宛先種類は、操作部５０を用いてページシート６１，６２，６３を用いて行うことができる。
【００５１】
以上の第２の実施形態においては、操作部５の種類変更キー５ａに代えて、図９乃至図１１に図示した操作部５０を備え、ステップＳ１１においてワンタッチダイヤルキー６５をオンしたときに３枚のページシート６１，６２，６３のうち捲って最上部に表示されていたページシートに対応する宛先種類を自動的に指定して登録する。従って、ワンタッチダイヤル又は短縮ダイヤルに宛先種類と電子メールアドレスとを登録することができるとともに、操作部５０を用いて登録された電子メールアドレスとその宛先種類で送信することができる。特に、操作部５０を用いてきわめて簡単な操作で宛先種類を指定することができるので、操作性を大幅に向上できる。
【００５２】
また、図６のステップＳ６５Ａ又は図７のステップＳ８５Ａにおいては、図８の電子メールアドレスの種類変更入力処理を実行せず、図５のステップＳ３６でオンされたワンタッチキーにより入力された短縮番号に対応する宛先情報（電子メールアドレス及び宛先種類）のうち宛先種類を、操作部５０のページシート６１，６２，６３を捲ることにより選択し、先と同一のワンタッチキーをオンすることにより、登録された宛先種類を後に操作部５０により選択した宛先種類に変更するように制御する。従って、登録された宛先情報のうち宛先種類を、送信直前において操作部５０を用いてきわめて簡単に変更することができ、操作性を大幅に向上できる。
【００５３】
＜変形例＞
以上の第２の実施形態においては、ワンタッチダイヤル又は短縮ダイヤルのダイヤル登録メモリ７ａに宛先種類と電子メールアドレスとを登録しているが、電子メールアドレスのみを登録し、宛先種類の指定は、送信直前の図６のステップＳ６５Ａ又は図７のステップＳ８５Ａにおいて操作部５０を用いて実行するように構成してもよい。これにより、登録された宛先情報のうち宛先種類を、送信直前において操作部５０を用いてきわめて簡単に指定して設定することができ、操作性を大幅に向上できる。
【００５４】
以上の実施形態においては、インターネットファクシミリ装置２０の例について述べているが、本発明はこれに限らず、公衆電話網又は公衆デジタル回線網などの公衆網もしくはインターネットに接続された、例えばデータ通信装置などを含む通信端末装置に適用することができる。
【００５５】
【発明の効果】
以上詳述したように本発明に係る通信端末装置によれば、電子メールを送信する通信端末装置において、宛先の電子メールアドレス毎に、当該宛先を指定する方法の複数の宛先種類（例えば、Ｔｏと、Ｃｃなどを含む。）から選択的に１つの宛先種類を指定する入力手段と、上記指定された宛先種類と、宛先の電子メールアドレスとの１対を、ワンタッチダイヤル又は短縮ダイヤルの宛先情報として格納する記憶手段と、ワンタッチダイヤル又は短縮ダイヤルの操作がされたときに、上記操作に対応するワンタッチダイヤル又は短縮ダイヤルの宛先種類と電子メールアドレスとを上記記憶手段から読み出して、上記操作に対応する宛先情報の電子メールアドレスに対して、上記操作に対応する宛先情報の宛先種類で電子メールを送信する送信手段とを備える。従って、ワンタッチダイヤル又は短縮ダイヤルに宛先種類と電子メールアドレスとを登録することができ、登録された電子メールアドレスとその宛先種類で送信することができる。
【００５６】
また、上記通信端末装置において、上記入力手段は、好ましくは、複数の宛先種類のうちの１つを順次循環的に表示して指定する種類変更キーである。従って、ワンタッチダイヤル又は短縮ダイヤルに宛先種類と電子メールアドレスとを登録するときに、宛先種類をきわめて簡単に入力設定できる。
【００５７】
さらに、上記通信端末装置において、好ましくは、上記電子メールを送信する前において、上記読み出された宛先情報の宛先種類を、上記入力手段を用いて入力された宛先種類に変更するように制御する変更手段をさらに備える。従って、登録された宛先情報のうち宛先種類を、送信直前において上記入力手段を用いてきわめて簡単に変更することができ、操作性を大幅に向上できる。
【図面の簡単な説明】
【図１】  本発明に係る第１の実施形態であるインターネットファクシミリ装置２０の構成を示すブロック図である。
【図２】  図１の主制御部１によって実行されるワンタッチダイヤル及び短縮ダイヤルの登録処理を示すフローチャートである。
【図３】  図２のサブルーチンである電子メールアドレス登録処理（Ｓ２）を示すフローチャートである。
【図４】  図２のサブルーチンであるファクシミリ番号登録処理（Ｓ４）を示すフローチャートである。
【図５】  図１の主制御部１によって実行されるファクシミリ送信処理を示すフローチャートである。
【図６】  図５のサブルーチンであるワンタッチダイヤル処理（Ｓ３７）を示すフローチャートである。
【図７】  図５のサブルーチンである短縮ダイヤル処理（Ｓ３９）を示すフローチャートである。
【図８】  図３、図６及び図７のサブルーチンである電子メールアドレスの種類変更入力処理（Ｓ１６，Ｓ６５Ａ，Ｓ８５Ａ）を示すフローチャートである。
【図９】  本発明に係る第２の実施形態である操作部５０の一部の第１の状態を示す上面図である。
【図１０】  図９の操作部５０の一部の第２の状態を示す上面図である。
【図１１】  図９の操作部５０の一部の第３の状態を示す上面図である。
【符号の説明】
１…主制御部、
２…画像読取部、
３…画像記録部、
４…表示部、
５…操作部、
５ａ…種類変更キー、
６…ＲＯＭ、
６ａ…ＣＯＤＥＣプログラム、
７…ＲＡＭ、
７ａ…ダイヤル登録メモリ、
８…画像メモリ、
９…ＣＯＤＥＣ回路、
１０…ファックスモデム、
１１…ＮＣＵ、
１２…ＬＡＮインターフェース、
１３…バス、
２０…インターネットファクシミリ装置、
３０…ローカルエリアネットワーク（ＬＡＮ）、
３１…メールサーバ装置、
３２…ルータ装置、
４０…インターネット、
５０…操作部、
５１…左側シート載置領域、
５２…右側シート載置領域、
５３…名称記載部、
５４…ワンタッチダイヤルスイッチ、
６１…Ｔｏページシート、
６１ａ…ページシート突出部、
６２…Ｃｃページシート、
６２ａ…ページシート突出部、
６３…Ｂｃｃページシート、
６３ａ…ページシート突出部、
６５…孔、
７１…バインダ・リング、
Ｌ…公衆電話回線、
ＳＷ１，ＳＷ２，ＳＷ３…マイクロスイッチ。
【図１】
0003829739.tif 000002
【図２】
0003829739.tif 000003
【図３】
0003829739.tif 000004
【図４】
0003829739.tif 000005
【図５】
0003829739.tif 000006
【図６】
0003829739.tif 000007
【図７】
0003829739.tif 000008
【図８】
0003829739.tif 000009
【図９】
0003829739.tif 000010
【図１０】
0003829739.tif 000011
【図１１】
0003829739.tif 000012